(57)【要約】      （修正有）【課題】血行促進などに有効なチタン素材、トルマリンを、より簡便な方法で応用した、チタン素材入り健康リングを提供する。【解決手段】チタン素材入り健康リングは、チタン素材から選ばれた少なくとも一種の金属乃至無機物を内部に含有する材料により製作された紐と、連結具からなることを特徴とするチタン素材入り健康リングであり、材料が弾性材料であり、チタン素材としては、チタン金属、チタン化合物、チタンを化合物の形で含有するチタン鉱物であることを特徴とする。【選択図】図４
0003110112.tif 000002
【実用新案登録請求の範囲】
【請求項１】
チタン素材から選ばれた少なくとも一種の金属乃至無機物を内部に含有する材料により製作された紐と、連結具からなることを特徴とするチタン素材入り健康リング。
【請求項２】
請求項１において、材料が弾性材料であることを特徴とするチタン素材入り健康リング。
【請求項３】
請求項１、２において、チタン素材としては、チタン金属、チタンと他の金属との合金、チタン化合物、チタンを化合物の形で含有するチタン鉱物であることを特徴とするチタン素材入り健康リング。
【請求項４】
請求項１〜３において、トルマリン、モナザイト、バイオセラミックスがさらに追加添加されていることを特徴とするチタン素材入り健康リング。
【請求項５】
請求項１〜３において、リングの断面が、丸、楕円、正四角、角を丸めた正四角であることを特徴とするチタン素材入り健康リング。
【請求項６】
請求項１〜３において、チタン素材の全リング重量に対する割合が１．０〜２０．０重量％（以下％と略す）であることを特徴とするチタン素材入り健康リング。
【考案の詳細な説明】
【技術分野】
【０００１】
本考案は、首や手足等に使用するチタン素材入り健康リングに関する。
【背景技術】
【０００２】
血行促進、代謝促進などのため、最近チタン素材などが注目されている。これらの作用は、これら素材が皮膚と直接接触しない場合でも有効とされる。
【０００３】
従来、チタン系素材を手足などに巻き付けて使用するバンドに応用しようとする試みがなされている。即ち、繊維製品からなる表面層と、可撓性がある中間層からなるバンドにおいて、中間層にチタンなどを含有させた健康バンドが開示されている（特許文献１）。しかしこの健康バンドは、ファスナーなどを使用して、手首、足首に巻きつける方法であり、ファスナーなどの接合のための部品例えばファスナーを取り付けるための表面層を必須とし、製造に人手を要しコストアップになりやすい難点がある。
本考案者の一人は、チタン系素材を含有する弾性素材を有機繊維で覆った構造を有する健康リングを提案したが（特許文献２）、チタン素材を有機繊維で覆った構造であり、コストダウンの要望がある。
【０００４】
【特許文献１】：実登３０４５８３５号公報
【特許文献２】：実登３０９１９３８号公報
【考案の開示】
【考案が解決しようとする課題】
【０００５】
本考案の目的は、血行促進、代謝促進などに有効なチタン素材を、より簡便な方法で、腕輪などのリングに応用した、チタン素材入り健康リングを提供することである。
【課題を解決するための手段】
【０００６】
上記目的を達成するため、本考案のチタン素材入り健康リングは、
（１）  チタン素材から選ばれた少なくとも一種の金属乃至無機物を内部に含有する材料により製作された紐と、連結具からなることを特徴とする、
（２）  （１）において、材料が弾性材料であることを特徴とする、
（３）  （１）、（２）において、チタン素材としては、チタン金属、チタンと他の金属との合金、チタン化合物、チタンを化合物の形で含有するチタン鉱物であることを特徴とする
（４）  （１）〜（３）において、トルマリン、モナザイト、バイオセラミックスがさらに追加添加されていることを特徴とする、
（５）  （１）〜（３）において、リングの断面が、丸、楕円、正四角、角を丸めた正四角であることを特徴とする、
（６）  （１）〜（３）において、チタン素材の全リング重量に対する割合が１．０〜２０．０重量％（以下％と略す）であることを特徴とする。
【０００７】
本考案で使用されるチタン系素材としては、チタン金属、チタンを含む合金、チタンを有する無機物が使用される。チタン合金としては、銅、スズ、鉄、アルミニウム、クロム、コバルト、タングステンなどの金属とチタンとの合金をあげることができる。無機物としては、酸化チタン、炭化チタン、窒化チタン、あるいはチタンをおそらくは化合物の形で含有するチタン鉱物をあげることができる。さらにチタン素材と併用できる素材としては、トルマリン、モナザイト、バイオセラミックスをあげることができる。
【０００８】
本考案で用いるチタン素材の、紐全体の重量に対する割合としては、１．０〜２０．０％の範囲が好ましい。１．０％より少ないと、効果が小さく、２０．０％より多くなると、効果が飽和し、コストが上昇するからである。
【０００９】
本考案では、チタン素材とトルマリンを併用することができる。トルマリンは、別名電気石といわれ主成分として、Ａｌ、Ｂ、Ｓｉを有する。
種類としは、ショールトルマリン、リチアトルマリン、ドラバイトトルマリンがある。トルマリンはモース硬度７〜７．５、比重３〜３．３の六方晶系の鉱石である。トルマリンの特徴は、特有のマイナスイオンを作り出し、体質改善に有効とされることである。
【００１０】
本考案では、チタン素材と、モナザイトを併用することができる。モナザイトは、トリウム鉱石の一種で、花崗岩ペグマタイト（巨晶）中に産出する。褐色柱状又は板状の結晶で透明感がある。ウラニウムを含み、放射線で長石を赤く、石英を黒く変色させる性質がある。また本考案では、リン酸カルシウムなどのバイオセラミックスを併用することもできる。
【００１１】
本考案で使用される材料としては、ゴムをあげることができる。ゴムとしては、シリコンゴム、ウレタンゴム、ブチルゴム、アクリルゴム、スチレン-ブタジエンゴムなどの合成ゴム、天然ゴムなどをあげることができる。しかし、肌に対する刺激が少ないこと成形性が良好なことなどからシリコンゴムが好ましい。また着色やつや消しのため、有機乃至無機顔料を添加することができる。つや消しを行ったり、緑、ピンクなどに着色したりして商品価値を高めるためである。また弾性材料製造のため、原料として架橋剤が使用される。これら架橋剤としては、有機過酸化物などをあげることができる。
【００１２】
本考案のチタン素材入り健康リングは継ぎ目を有し、手足の寸法が異なる場合においても、対応可能である。ここで健康紐の両端の連結具が必要である。
連結具の材料としては、プラスチックス、金属などをあげることができる。
【００１３】
本考案の乃至チタン素材から選ばれた金属乃至無機物は、弾性材料の内部にあり、弾性材料の表面には出ていない。このためチタン素材入り健康リングとして使用されたとき、内部にある金属乃至無機物により皮膚が刺激されることがなくアレルギーなどの危険性がより少ない。
【００１４】
本考案のチタン素材入り健康リングを作成する方法としては、シートを作成し切断する方法、ノズルから押し出し巻き取る方法などがある。そしてチタン素材入り健康リングのリングの長さは、腕、足首の周の長さよりやや大きめにする。腕、足首に着用したとき締め付けないためである。なお、二重、三重にして、腕、足首に着用するときは、腕、足首周の長さの二倍、三倍よりやや大きくする。
【００１５】
本考案のチタン素材入り健康リングの断面は、円形、楕円形、正四角乃至角を丸めた正四角である。角を丸めた四角とは、図１に示す如く四角の角の鋭角部分を除き、円くした形態をいう。紐状にし、切断すれば四角となるからである。
【００１６】
本考案において、チタン素材から選ばれた少なくとも一種の金属乃至無機物を内部に含有する材料をそのまま使用し有機繊維で覆わない。有機繊維で覆わないことによりコストダウンをはかることが可能となる。
【考案を実施するための最良の形態】
【００１７】
以下に、本考案の一実施例に就いて、説明する。
まず、チタン素材入り健康リング形成のため、次の組成の原料を配合する。ここに「部」とは、重量部である。
未加硫のシリコン生ゴム                    ９１．６部
シリコンゴム硬化剤                          ０．２部
トルマリン                                  １．０部
モナザイト                                  ２．２部
チタン                                      ５．０部
合計                                    １００．０部
を混合し、加工剤組成物Ａを作成する。
【００１８】
加工剤組成物Ａを従来公知の方法により、直径５ｍｍの紐状に成形し、加硫して紐６を得た。次に紐を手首などに巻くのに適切な大きさに切断する。紐の断面は図１に示す。
図２は、接合具を用いた紐と雌型プラスチック治具との接合を示す断面図である。紐とプラスチック治具をつなぐため接合具が使用される。プラスチック治具は、雄型プラスチック治具３と雌型プラスチック治具４からなり、紐６の端と端をつなぐため使用される。
図２に示すように、紐６と雌型プラスチック治具４を接合するため、紐６を穴７に通した後、紐６の先端と紐６を合わせ接合具５で固定する。紐６と雄型プラスチック治具３も同様に接合する。
【００１９】
健康リングの形成は、図３に示すように雄型プラスチック治具３を雌型プラスチック治具４に嵌めることにより行われる。雄型プラスチック治具の先端８は、嵌めこむ時は変形するが、嵌めこまれた状態ではその材料の弾性により、もとの形態にもどり固定されることになるからである。図４は雄型プラスチック治具及び雌型プラスチック治具を使用しリングを形成した健康リングを示す。
【００２０】
未加硫のシリコン生ゴム                  １７３．５部
シリコンゴム硬化剤                          ０．５部
トルマリン                                  ７    部
モナザイト                                  ６    部
バイオセラミックス                          ７    部
チタン                                      ６    部
合計                                    ２００    部
を混合し、加工剤組成物Ｂを作成する。Ｂを用いて同様にチタン素材入り健康リングが作成される。
【００２１】
未加硫のシリコン生ゴム                  １７２．５部
シリコンゴム硬化剤                          ０．５部
モナザイト                                  ６    部
バイオセラミックス                          ７    部
チタン                                    １４    部
合計                                    ２００    部
を混合し、加工剤組成物Ｃを作成する。加工剤組成物Ｃを用いて同様にチタン素材入り健康リングが作成される。
【００２２】
未加硫のシリコン生ゴム                  １６５．５部
シリコンゴム硬化剤                          ０．５部
トルマリン                                  ７    部
モナザイト                                  ６    部
バイオセラミックス                          ７    部
チタン                                    １４    部
合計                                    ２００    部
を混合し、加工剤組成物Ｄを作成する。加工剤組成物Ｄを用いて同様にチタン素材入り健康リングが作成される。
【００２３】
本考案のチタン素材入り健康リングは、リスト（手首）、アーム（肘）、ひざ、ふくらはぎ、足首などのサポータや、ヘヤーバンドなどに使用できる。  
以上の説明によって明らかな様に、本考案によるチタン素材入り健康リングは以下のような効果を有する。
（ａ）  チタン鉱物の効果により、血行促進、代謝促進などの効果が期待される。
（ｂ）  トルマリン鉱物の効果により、特有のマイナスイオンを作り出し体質改善効果が期待される。
【図面の簡単な説明】
【００２４】
【図１】本考案のチタン素材入り健康リングの断面図である。
【図２】接合具を用いたリングと雌型プラスチック治具との接合を示す断面図である。
【図３】雄型プラスチック治具と雌型プラスチック治具の平面図である。
【図４】健康リングの斜視図である。
【符号の説明】
【００２５】
１    チタン系素材
２    シリコンゴム
３    雄型プラスチック治具
４    雌型プラスチック治具
５    接合具
６    紐
７    穴
８    雄型プラスチック治具の先端突起
９    嵌合時の雄型プラスチック治具の先端突起
１０  健康リング
【図１】
0003110112.tif 000003
【図２】
0003110112.tif 000004
【図３】
0003110112.tif 000005
【図４】
0003110112.tif 000006